(57)【特許請求の範囲】
【請求項１】
少なくとも直交周波数分割多重方式を用いる無線通信システムにおいて、既知信号を含む上り無線信号を無線通信端末から受信する無線基地局であって、
前記既知信号は、前記無線基地局が、前記上りリンクにおける無線リソースの品質を推定するために利用され、周波数軸方向に連続して設けられ、かつ、時間軸方向においてフレーム内の固定された位置に設けられる信号であり、
周波数軸方向における前記既知信号の帯域幅に関する要素を含む信号構成指定情報を前記無線通信端末に通知する通知手段を備え、前記要素は、所定数のサブキャリアを一単位とした周波数帯の数を示し、
前記通知手段は、時間軸方向におけるフレーム内の前記既知信号の位置を前記無線通信端末に通知することなく、前記既知信号の帯域幅に関する要素を前記無線通信端末に通知することを特徴とする無線基地局。
【請求項２】
少なくとも直交周波数分割多重方式を用いる無線通信システムにおいて、既知信号を含む上り無線信号を無線基地局に送信する無線通信端末であって、
前記既知信号は、前記無線基地局が、前記上りリンクにおける無線リソースの品質を推定するために利用され、周波数軸方向に連続して設けられ、かつ、時間軸方向においてフレーム内の固定された位置に設けられる信号であり、
周波数軸方向における前記既知信号の帯域幅に関する要素を含む信号構成指定情報を前記無線基地局から受信する受信手段を備え、前記要素は、所定数のサブキャリアを一単位とした周波数帯の数を示し、
前記受信手段は、時間軸方向におけるフレーム内の前記既知信号の位置を前記無線基地局から受信することなく、前記既知信号の帯域幅に関する要素を前記無線基地局から受信することを特徴とする無線通信端末。
【請求項３】
少なくとも直交周波数分割多重方式を用いる無線通信システムにおいて、既知信号を含む上り無線信号を無線通信端末から受信する無線基地局における無線通信方法であって、
前記既知信号は、前記無線基地局が、前記上りリンクにおける無線リソースの品質を推定するために利用され、周波数軸方向に連続して設けられ、かつ、時間軸方向においてフレーム内の固定された位置に設けられる信号であり、
周波数軸方向における前記既知信号の帯域幅に関する要素を含む信号構成指定情報を前記無線通信端末に通知するステップを備え、前記要素は、所定数のサブキャリアを一単位とした周波数帯の数を示し、
前記通知するステップでは、時間軸方向におけるフレーム内の前記既知信号の位置を前記無線通信端末に通知することなく、前記既知信号の帯域幅に関する要素を前記無線通信端末に通知することを特徴とする無線通信方法。
【請求項４】
少なくとも直交周波数分割多重方式を用いる無線通信システムにおいて、既知信号を含む上り無線信号を無線基地局に送信する無線通信端末における無線通信方法であって、
前記既知信号は、前記無線基地局が、前記上りリンクにおける無線リソースの品質を推定するために利用され、周波数軸方向に連続して設けられ、かつ、時間軸方向においてフレーム内の固定された位置に設けられる信号であり、
周波数軸方向における前記既知信号の帯域幅に関する要素を含む信号構成指定情報を前記無線基地局から受信するステップを備え、前記要素は、所定数のサブキャリアを一単位とした周波数帯の数を示し、
前記受信するステップでは、時間軸方向におけるフレーム内の前記既知信号の位置を前記無線基地局から受信することなく、前記既知信号の帯域幅に関する要素を前記無線基地局から受信することを特徴とする無線通信方法。
【発明の詳細な説明】
【技術分野】
【０００１】
本発明は、直交周波数分割多重方式を用い、周波数軸方向及び時間軸方向に所定のサイズを有するシンボル列を含む無線信号を送受信する無線基地局、無線通信端末、及び無線通信方法に関する。
【背景技術】
【０００２】
近年、例えば、ＷｉＭＡＸ（worldwide interoperability for microwave access）のような無線通信システムでは、無線リソースのより効率的な利用を図るため、直交周波数分割多重（ＯＦＤＭ）方式が用いられている。また、このような無線通信システムでは、アレイアンテナによるアダプティブアレイ制御も導入されている。
【０００３】
アダプティブアレイ制御では、通信先（例えば、移動局）から受信した無線信号に含まれる「既知の情報」に基づいて、当該通信先に送信する無線信号のビーム形成に用いられるアレイウェイトが演算される。
【０００４】
また、ＯＦＤＭ方式では、複数のシンボルが時間軸方向及び周波数軸方向（サブキャリア方向）に配列されたシンボル列が用いられる。シンボル列は、一般的に、シンボル同期やアレイウェイトの演算に用いられるプリアンブルシンボルと、ユーザデータの伝送に用いられるデータシンボルとによって構成される。
【０００５】
このように、ＯＦＤＭ方式が適用される無線通信システムにアダプティブアレイ制御を導入する場合において、より正確なアレイウェイトを演算するため、プリアンブルシンボル部分と、データシンボル部分とにおいて、アレイウェイトの演算に用いる既知の情報を変更する方法が知られている（例えば、特許文献１）。
【先行技術文献】
【特許文献】
【０００６】
【特許文献１】特開２００２−１８５３７５号公報（第６−７頁、第２図）
【発明の概要】
【発明が解決しようとする課題】
【０００７】
ところで、上述したような無線通信システムでは、複数のユーザが同時に通信を実行できるようにするため、所定数のサブキャリアを各ユーザに割り当てる、いわゆる直交周波数分割多元接続（ＯＦＤＭＡ）も実現されている。
【０００８】
しかしながら、各ユーザに割り当てられるサブキャリア数が少ない場合、つまり、各ユーザに割り当てられる周波数帯域が狭い場合、最小２乗誤差法（ＭＭＳＥ）などのアルゴリズムを用いて得られたアレイウェイトによって実現できるアンテナ合成利得は、理論値に遠く及ばないといった問題がある。
【０００９】
具体的には、各ユーザに割り当てられる周波数帯域が狭い場合、周波数軸方向に配列可能なプリアンブルシンボル数が少なくなるため、理論値に近いアンテナ合成利得を得るために必要なプリアンブルシンボル数を確保することができない。
【００１０】
そこで、理論値に近いアンテナ合成利得を得るため、時間軸方向により多くのプリアンブルシンボルを配列することが考えられる。しかしながら、時間軸方向により多くのプリアンブルシンボルを配列すると、シンボル列に含まれるプリアンブルシンボルの比率が、データシンボルの比率と比較して相対的に高くなってしまい、データシンボルの伝送効率が低下するといった別の問題を惹起する。
【００１１】
そこで、本発明は、このような状況に鑑みてなされたものであり、データシンボルの伝送効率の低下を抑制しつつ、無線信号の受信状態にかかわらず所望のアンテナ合成利得が得られるアダプティブアレイ制御を実行することができる無線基地局、無線通信端末、及び無線通信方法を提供することを目的とする。
【課題を解決するための手段】
【００１２】
上述した問題を解決するため、本発明は、次のような特徴を有している。
【００１３】
本発明に係る無線基地局は、少なくとも直交周波数分割多重方式を用いる無線通信システムにおいて、既知信号を含む上り無線信号を無線通信端末から受信する無線基地局であって、前記既知信号は、前記無線基地局が、前記上りリンクにおける無線リソースの品質を推定するために利用され、かつ、周波数軸方向に連続して設けられる信号であり、周波数軸方向における前記既知信号の帯域幅に関する要素を含む信号構成指定情報を前記無線通信端末に通知する通知手段を備え、前記要素は、所定数のサブキャリアを一単位とした周波数帯の数を示す。
【００１４】
本発明に係る無線通信端末は、少なくとも直交周波数分割多重方式を用いる無線通信システムにおいて、既知信号を含む上り無線信号を無線基地局に送信する無線通信端末であって、前記既知信号は、前記無線基地局が、前記上りリンクにおける無線リソースの品質を推定するために利用され、かつ、周波数軸方向に連続して設けられる信号であり、周波数軸方向における前記既知信号の帯域幅に関する要素を含む信号構成指定情報を前記無線基地局から受信する受信手段を備え、前記要素は、所定数のサブキャリアを一単位とした周波数帯の数を示す。
【００１５】
本発明に係る無線通信方法は、少なくとも直交周波数分割多重方式を用いる無線通信システムにおいて、既知信号を含む上り無線信号を無線通信端末から受信する無線基地局における無線通信方法であって、前記既知信号は、前記無線基地局が、前記上りリンクにおける無線リソースの品質を推定するために利用され、かつ、周波数軸方向に連続して設けられる信号であり、周波数軸方向における前記既知信号の帯域幅に関する要素を含む信号構成指定情報を前記無線通信端末に通知するステップを備え、前記要素は、所定数のサブキャリアを一単位とした周波数帯の数を示す。
【００１６】
本発明に係る無線通信方法は、少なくとも直交周波数分割多重方式を用いる無線通信システムにおいて、既知信号を含む上り無線信号を無線基地局に送信する無線通信端末における無線通信方法であって、前記既知信号は、前記無線基地局が、前記上りリンクにおける無線リソースの品質を推定するために利用され、かつ、周波数軸方向に連続して設けられる信号であり、周波数軸方向における前記既知信号の帯域幅に関する要素を含む信号構成指定情報を前記無線基地局から受信するステップを備え、前記要素は、所定数のサブキャリアを一単位とした周波数帯の数を示す。
【発明の効果】
【００１７】
本発明の特徴によれば、データシンボルの伝送効率の低下を抑制しつつ、無線信号の受信状態にかかわらず所望のアンテナ合成利得が得られるアダプティブアレイ制御を実行することができる無線基地局、無線通信端末、及び無線通信方法を提供することができる。
【図面の簡単な説明】
【００１８】
【図１】本発明の実施形態に係る無線通信システムの全体概略構成図である。
【図２】本発明の実施形態に係る無線通信装置（無線基地局）の機能ブロック構成図である。
【図３】本発明の実施形態に係る無線通信装置（無線通信端末）の機能ブロック構成図である。
【図４】本発明の実施形態に係る無線通信装置（無線基地局）の動作フロー図である。
【図５】本発明の実施形態に係る無線通信装置（無線通信端末）の動作フロー図である。
【図６】本発明の実施形態に係るシンボル列の一例を示す図である。
【図７】本発明の実施形態に係るシンボル列の一例を示す図である。
【図８】本発明の実施形態に係るシンボル列の一例を示す図である。
【図９】本発明の実施形態に係るシンボル列の一例を示す図である。
【発明を実施するための形態】
【００１９】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
（無線通信システムの全体概略構成）
図１は、本実施形態に係る無線通信システムの全体概略構成図である。図１に示すように、本実施形態に係る無線通信システムは、無線基地局１００と、無線通信端末２００とによって構成される。なお、無線基地局及び無線通信端末の数は、図１に示した数に限定されるものではない。
【００２２】
無線基地局１００及び無線通信端末２００では、直交周波数分割多重（ＯＦＤＭ）方式が用いられる。具体的には、無線基地局１００及び無線通信端末２００は、ＷｉＭＡＸ（worldwide interoperability for microwave access）に準拠した無線通信装置であり、所定数のサブキャリアを各ユーザに割り当てる、いわゆる直交周波数分割多元接続（ＯＦＤＭＡ）が用いられる。
【００２３】
また、無線基地局１００は、無線通信端末２００から受信した上り無線信号ＲＳＵＰに含まれるシンボル列に基づいて、無線通信端末２００（通信先）に送信する下り無線信号ＲＳＤＯＷＮのアダプティブアレイ制御を実行する。
【００２４】
無線通信端末２００は、本実施形態では、カード型の無線通信端末であり、ノート型のパーソナルコンピュータやＰＤＡ（不図示）などに装着される。
【００２５】
（機能ブロック構成）
次に、無線基地局１００及び無線通信端末２００の構成について説明する。なお、以下、本発明との関連がある部分について主に説明する。したがって、無線基地局１００及び無線通信端末２００は、当該装置としての機能を実現する上で必須な、図示しない或いは説明を省略した論理ブロック（電源部など）を備える場合があることに留意されたい。
【００２６】
（１）無線基地局１００
図２は、無線基地局１００の機能ブロック構成図である。図２に示すように、無線基地局１００は、無線通信部１０１、アレイ制御部１０３、無線信号処理部１０５、受信状態判定部１０７、シンボル列構成変更部１０９、シンボル列構成通知部１１１及びベースバンド処理部１１３を備える。
【００２７】
無線通信部１０１は、ＯＦＤＭ方式にしたがった無線信号を送受信する。ここで、図６は、無線通信部１０１が無線通信端末２００から受信する上り無線信号ＲＳＵＰに含まれるシンボル列の一例を示している。
【００２８】
図６に示すように、シンボル列Ｓは、周波数軸方向ＤＦ及び時間軸方向ＤＴに所定のサイズを有している。シンボル列Ｓは、プリアンブルシンボルＰ及びデータシンボルＤによって構成されている。また、データシンボルＤには、所定数のパイロットシンボルＰＬが含まれている。
【００２９】
周波数軸方向ＤＦは、サブキャリアの数、つまり、帯域幅によって規定される。本実施形態では、９キャリア（図中では、１行が１キャリアとして表示されている）が、１単位（１ｂｉｎ）として規定される。また、時間軸方向ＤＴは、ＯＦＤＭＡシンボルの数によって規定される。
【００３０】
本実施形態では、データシンボルＤは、周波数軸方向ＤＦに１８キャリア、つまり、２ｂｉｎ、及び時間軸方向ＤＴに３シンボルを基本サイズとして構成される。当該基本サイズのデータシンボルＤは、周波数軸方向ＤＦに沿って複数配置することができる。
【００３１】
また、シンボル列Ｓでは、プリアンブルシンボルＰは、周波数軸方向ＤＦに１８キャリア、つまり、２ｂｉｎ、及び時間軸方向ＤＴに２シンボル（２×２構成）を基本サイズとして構成される。本実施形態では、プリアンブルシンボルＰの構成に基づいてシンボル列構成が識別される。すなわち、シンボル列Ｓは、２×２構成と表現される。プリアンブルシンボルＰは、アレイウェイトの演算に用いられる。
【００３２】
アレイ制御部１０３は、無線通信端末２００から受信した上り無線信号ＲＳＵＰに含まれるシンボル列Ｓに基づいて、無線通信端末２００に送信する下り無線信号ＲＳＤＯＷＮのアダプティブアレイ制御を実行する。
【００３３】
具体的には、アレイ制御部１０３は、プリアンブルシンボルＰ（図６参照）に基づいて、下り無線信号ＲＳＤＯＷＮに適用されるアレイウェイトを演算する。さらに、アレイ制御部１０３は、演算したアレイウェイトに基づいて、無線通信部１０１によって送信される下り無線信号ＲＳＤＯＷＮのビームパターンを制御する。
【００３４】
無線信号処理部１０５は、無線通信部１０１によって送信される下り無線信号ＲＳＤＯＷＮ、及び無線通信部１０１が受信した上り無線信号ＲＳＵＰに関する処理を実行する。特に、本実施形態では、無線信号処理部１０５は、下り無線信号ＲＳＤＯＷＮに含まれるシンボル列Ｓのシンボル列構成を変更することができる。
【００３５】
受信状態判定部１０７は、無線通信部１０１が受信した上り無線信号ＲＳＵＰの受信状態を判定する。具体的には、受信状態判定部１０７は、上り無線信号ＲＳＵＰの信号対雑音比（受信ＳＮＲ）を推定する。具体的には、受信状態判定部１０７は、上り無線信号ＲＳＵＰに含まれるプリアンブルシンボルＰに基づいて、プリアンブルシンボルＰとデータシンボルＤとの相関を算出し、上り無線信号ＲＳＵＰ（サブキャリア）の受信ＳＮＲを推定する。また、本実施形態に係る無線通信システムでは、受信ＳＮＲが最大となるように上り無線信号ＲＳＵＰの送信電力、位相及び時間（送信周期）などが調整される。つまり、本実施形態に係る無線通信システムでは、使用される変調方式に応じて必要となる受信ＳＮＲを制御評価値としたターゲットＳＮＲが設定されており、ターゲットＳＮＲを維持するように上り無線信号ＲＳＵＰの制御が実行される。
【００３６】
シンボル列構成変更部１０９は、受信状態判定部１０７によって判定された受信状態に基づいて、シンボル列Ｓのシンボル列構成を変更する。本実施形態では、図６に示した２×２構成に加え、図７に示す４×２構成、図８に示す２×４構成、及び図９に示す８×１構成が用いることができる。
【００３７】
本実施形態では、図７に示す４×２構成を基準シンボル列構成という。また、図６に示す２×２構成、及び図８に示す２×４構成を、基準シンボル列構成よりも周波数軸方向ＤＦのサイズが小さい狭帯域シンボル列構成という。また、図９に示す８×１構成を、基準シンボル列構成よりも周波数軸方向ＤＦのサイズが大きい広帯域シンボル列構成という。
【００３８】
すなわち、本実施形態では、シンボル列構成変更部１０９は、プリアンブルシンボルＰのシンボル列構成（例えば、４×２構成）に基づいて、シンボル列Ｓ全体のシンボル列構成を変更する。
【００３９】
シンボル列構成変更部１０９は、上り無線信号ＲＳＵＰの受信状態が所定の条件を満足したと判定された場合、具体的には、受信状態判定部１０７によって測定された受信ＳＮＲが所定の閾値を下回った場合、基準シンボル列構成（４×２構成）に代えて、狭帯域シンボル列構成（２×２構成）に変更する。
【００４０】
また、シンボル列構成変更部１０９は、受信状態判定部１０７によって測定された受信ＳＮＲが所定の閾値を下回った場合、２×２構成（第１の狭帯域シンボル列構成）ではなく、２×４構成（第２の狭帯域シンボル列構成）に変更することもできる。つまり、シンボル列構成変更部１０９は、基準シンボル列構成と、狭帯域シンボル列構成とにおいて、同数のプリアンブルシンボルを含むシンボル列構成に変更することができる。
【００４１】
また、シンボル列構成変更部１０９は、受信状態判定部１０７によって測定された受信ＳＮＲが所定の閾値を上回った場合、基準シンボル列構成（４×２構成）に代えて広帯域シンボル列構成（８×１構成）に変更する。つまり、シンボル列構成変更部１０９は、基準シンボル列構成と、広帯域シンボル列構成とにおいて、同数のプリアンブルシンボルを含むシンボル列構成に変更することができる。
【００４２】
シンボル列構成通知部１１１は、シンボル列構成変更部１０９によって変更されたシンボル列構成を無線通信端末２００に通知する。具体的には、シンボル列構成通知部１１１は、シンボル列構成変更部１０９によって変更されたシンボル列構成を示すシンボル列構成通知を無線通信端末２００に送信する。なお、シンボル列構成通知は、下り無線信号ＲＳＤＯＷＮに含めて無線通信端末２００に送信される。
【００４３】
ベースバンド処理部１１３は、無線信号処理部１０５と接続されている。ベースバンド処理部１１３は、ユーザデータや制御データなどのベースバンド信号を無線信号処理部１０５に送信したり、無線信号処理部１０５から受信した無線信号をベースバンド信号に復調したりする。
【００４４】
（２）無線通信端末２００
図３は、無線通信端末２００の機能ブロック構成図である。図２に示すように、無線通信端末２００は、無線通信部２０１、無線信号処理部２０３、シンボル列構成受信部２０５、シンボル列構成変更部２０７及びベースバンド処理部２０９を備える。なお、以下、上述した無線基地局１００と同様の処理を実行する機能ブロックについては、その説明を適宜省略する。
【００４５】
無線通信部２０１は、無線通信部１０１と概ね同様の処理を実行する。また、無線信号処理部２０３は、無線信号処理部１０５と概ね同様の処理を実行する。
【００４６】
シンボル列構成受信部２０５は、無線基地局１００によって送信されたシンボル列構成通知を受信する。シンボル列構成受信部２０５は、受信したシンボル列構成通知に基づいて、上り無線信号ＲＳＵＰに含まれるシンボル列Ｓのシンボル列構成をシンボル列構成変更部２０７に通知する。
【００４７】
シンボル列構成変更部２０７は、シンボル列構成受信部２０５によって通知されたシンボル列構成に基づいて、上り無線信号ＲＳＵＰに含まれるシンボル列Ｓのシンボル列構成、具体的には、４×２構成、２×２構成、２×４構成または８×１構成の何れかに変更する。
【００４８】
ベースバンド処理部２０９は、ベースバンド処理部１１３と概ね同様の処理を実行する。
【００４９】
（無線通信システムの動作）
次に、上述した無線通信システムの動作について説明する。具体的には、（１）無線基地局１００が、上り無線信号ＲＳＵＰの受信状態に基づいてシンボル列Ｓのシンボル列構成を変更する動作、及び（２）無線通信端末２００が、無線基地局１００によって送信されたシンボル列構成通知に基づいて上り無線信号ＲＳＵＰに含まれるシンボル列Ｓのシンボル列構成を設定する動作について説明する。
【００５０】
（１）無線基地局１００  
図４は、無線基地局１００の動作フロー図である。図４に示すように、ステップＳ１０において、無線基地局１００は、無線通信端末２００から受信した上り無線信号ＲＳＵＰの受信ＳＮＲを推定する。具体的には、無線基地局１００は、上り無線信号ＲＳＵＰに含まれるプリアンブルシンボルＰに基づいて、プリアンブルシンボルＰとデータシンボルＤとの相関を算出し、上り無線信号ＲＳＵＰ（サブキャリア）の受信ＳＮＲを推定する。
【００５１】
ステップＳ２０において、無線基地局１００は、推定した受信ＳＮＲが所定の条件を満足するか否かを判定する。具体的には、無線基地局１００は、推定した受信ＳＮＲが閾値βよりも小さいか、閾値α以上か、または閾値βより大きく閾値αよりも小さいかの何れであるかを判定する。
【００５２】
推定した受信ＳＮＲが閾値βよりも小さい場合（ステップＳ２０の「受信ＳＮＲ＜β」の場合）、ステップＳ３０Ａにおいて、無線基地局１００は、上り無線信号ＲＳＵＰに含まれるシンボル列Ｓのシンボル列構成として、２×４構成に変更する。
【００５３】
推定した受信ＳＮＲが閾値α以上である場合（ステップＳ２０の「受信ＳＮＲ≧α」の場合）、ステップＳ３０Ｂにおいて、無線基地局１００は、上り無線信号ＲＳＵＰに含まれるシンボル列Ｓのシンボル列構成として、４×２構成に変更する。
【００５４】
推定した受信ＳＮＲが閾値βより大きく閾値αよりも小さい場合（ステップＳ２０の「β＜受信ＳＮＲ＜α」の場合）、ステップＳ３０Ｃにおいて、無線基地局１００は、上り無線信号ＲＳＵＰに含まれるシンボル列Ｓのシンボル列構成として、２×２構成に変更する。
【００５５】
ステップＳ４０において、無線基地局１００は、ステップＳ３０Ａ〜Ｓ３０Ｃの何れかのステップにおいて変更したシンボル列構成を記憶する。
【００５６】
ステップＳ５０において、無線基地局１００は、変更したシンボル列構成を示すシンボル列構成通知を通信先、すなわち、無線通信端末２００に送信する。
【００５７】
上述したように、本実施形態では、シンボル列構成として、４×２構成（基準シンボル列構成）と、４×２構成よりも周波数軸方向ＤＦのサイズが小さい２×２構成（第１の狭帯域シンボル列構成）と、２×２構成よりも時間軸方向ＤＴのサイズが大きい２×４構成（第２の狭帯域シンボル列構成）とが備えられている。
【００５８】
無線基地局１００、具体的には、シンボル列構成変更部１０９は、受信状態判定部１０７によって上り無線信号ＲＳＵＰの受信状態が所定の条件を満足しないと判定された場合、４×２構成に代えて、２×２構成に変更する。さらに、シンボル列構成変更部１０９は、２×２構成においても、上り無線信号ＲＳＵＰの受信状態が所定の条件を満足しないと判定された場合には、２×２構成に代えて、２×４構成に変更することができる。
【００５９】
なお、図４に示した動作フローでは、無線基地局１００は、４×２構成、２×２構成または２×４構成の何れかに変更するが、さらに、８×１構成（図９参照）に変更するようにしてもよい。この場合、無線基地局１００は、８×１構成に変更する条件として、４×２構成に変更するか否かに用いられる閾値αよりも良好な受信ＳＮＲを閾値として用いる。
【００６０】
（２）無線通信端末２００
図５は、無線通信端末２００の動作フロー図である。図５に示すように、ステップＳ１１０において、無線通信端末２００は、通信中の無線基地局１００からシンボル列構成通知を受信したか否かを判定する。
【００６１】
シンボル列構成通知を受信した場合（ステップＳ１１０のＹＥＳ）、ステップＳ１２０において、無線通信端末２００は、受信したシンボル列構成通知に基づいて、上り無線信号ＲＳＵＰに含まれるシンボル列Ｓのシンボル列構成を設定する。
【００６２】
ステップＳ１３０において、無線通信端末２００は、設定したシンボル列構成を有するシンボル列Ｓを含む上り無線信号ＲＳＵＰを無線基地局１００に向けて送信する。
【００６３】
（作用・効果）
上述したように、本実施形態では、データシンボルＤは、周波数軸方向ＤＦに１８キャリア（２ｂｉｎ）、及び時間軸方向ＤＴに３シンボルを基本サイズとしている。つまり、データシンボルＤの周波数軸方向ＤＦ及び時間軸方向ＤＴの基本サイズは、固定である。
【００６４】
本実施形態では、上り無線信号ＲＳＵＰの受信ＳＮＲが良好な場合（例えば、受信ＳＮＲ≧αの場合）には、シンボル列Ｓの周波数軸方向ＤＦのサイズが大きいシンボル列構成（例えば、４×２構成）に変更することによって、アダプティブアレイ制御による理論値に近いアンテナ合成利得を得るために必要なプリアンブルシンボルＰを周波数軸方向ＤＦにより多く配置することができる。このため、時間軸方向ＤＴに配置すべきプリアンブルシンボルＰの数が低減され、データシンボルＤの伝送効率が向上する。さらに、時間軸方向ＤＴのサイズが小さくなることによって、マルチパスによるフェージングの影響が抑制され、無線通信端末２００が高速に移動した場合でも一定の通信品質を確保することができる。
【００６５】
また、上り無線信号ＲＳＵＰの受信ＳＮＲが不良な場合（例えば、受信ＳＮＲ＜βの場合）には、時間軸方向ＤＴのサイズが大きいシンボル列構成（例えば、２×４構成）に変更することによって、データシンボルＤの伝送効率は低下するものの、周波数選択性フェージングの影響を回避しつつ、アダプティブアレイ制御による理論値に近いアンテナ合成利得を得るために必要なプリアンブルシンボルＰを配置することができる。
【００６６】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６７】
例えば、上述した実施形態では、シンボル列構成として、プリアンブルシンボルＰ部分の周波数軸方向ＤＦ及び時間軸方向ＤＴのサイズを、上り無線信号ＲＳＵＰの受信状態に応じて変更する形態としたが、プリアンブルシンボルＰ部分ではなく、シンボル列Ｓ全体の周波数軸方向ＤＦ及び時間軸方向ＤＴのサイズを変更する形態としても勿論構わない。
【００６８】
また、上述した実施形態では、上り無線信号ＲＳＵＰの受信状態として、受信ＳＮＲを用いる形態としたが、上り無線信号ＲＳＵＰの受信電力値、タイミングジッタ、或いは周波数オフセット量などを用いてもよい。
【００６９】
さらに、上述した実施形態では、無線通信端末２００は、カード型の無線通信端末であったが、無線通信端末２００は、カード型以外の形態、例えば、携帯電話端末であってもよい。
【００７０】
また、上述した実施形態では、無線通信端末２００は、無線基地局１００から受信したシンボル列構成通知に基づいて、上り無線信号ＲＳＵＰに含まれるシンボル列Ｓのシンボル列構成を設定する形態としたが、無線通信端末２００は、下り無線信号ＲＳＤＯＷＮの受信状態に基づいて、上り無線信号ＲＳＵＰの状態を推定し、上り無線信号ＲＳＵＰに含まれるシンボル列Ｓのシンボル列構成を設定する形態としてもよい。
【００７１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７２】
１００…無線基地局、１０１…無線通信部、１０３…アレイ制御部、１０５…無線信号処理部、１０７…受信状態判定部、１０９…シンボル列構成変更部、１１１…シンボル列構成通知部、１１３…ベースバンド処理部、２００…無線通信端末、２０１…無線通信部、２０３…無線信号処理部、２０５…シンボル列構成受信部、２０７…シンボル列構成変更部、２０９…ベースバンド処理部、Ｄ…データシンボル、ＤＦ…周波数軸方向、ＤＴ…時間軸方向、Ｐ…プリアンブルシンボル、ＰＬ…パイロットシンボル、ＲＳＵＰ…上り無線信号、ＲＳＤＯＷＮ…下り無線信号、Ｓ…シンボル列
【図１】
0005204916.tif 000002
【図２】
0005204916.tif 000003
【図３】
0005204916.tif 000004
【図４】
0005204916.tif 000005
【図５】
0005204916.tif 000006
【図６】
0005204916.tif 000007
【図７】
0005204916.tif 000008
【図８】
0005204916.tif 000009
【図９】
0005204916.tif 000010